(57)【要約】ソフタ・ハンドオフ・グループは、このグループの一部である単一のマスタ・セクタにより管理されることができる部分的周波数繰り返しセットを用いて提供される。このグループは、アクセスポイントによるグループ指示、又は、アクセス端末によるグループ要求を含むことができるハンドオフ規則に基づくことができる。端末には、アクティブセットアップデートにより指示されることができるソフタ・ハンドオフ・グループを選択する機能が設けられている。アクセスポイントは、アクティブセットサイズを１に減少させることにより、グループによる端末へのサービスを中断することができる。ダイバーシティは、１つのセクタからの伝送が弱まる場合に別のセクタが伝送を行ってデータの損失を軽減できるように提供されることができる。従って、不適切なチャネル状態に対するロバスト性が獲得されることができる。
2010503361.tif 000002
【特許請求の範囲】
【請求項１】
ソフタ・ハンドオフ・グループを有効にする方法であって、
ソフタ・ハンドオフ・グループと関連する部分的周波数繰り返しセットを提供することと、
前記部分的周波数繰り返しセットを、前記ソフタ・ハンドオフ・グループの一部であるマスタ・セクタにより管理することと
を備える方法。
【請求項２】
前記マスタ・セクタの信号を第２のセクタにより模倣することと、
前記模倣された信号をアクセス端末に送信することと
を更に備える、請求項１に記載の方法。
【請求項３】
グループにより複数の端末にサービス提供し続けるかを決定することと、
前記決定が、グループにより前記複数の端末にサービス提供し続けないことである場合、グループサイズを１に減少させるアクティブセットアップデートを送信することと
を更に備える、請求項１に記載の方法。
【請求項４】
グループにより複数の端末にサービス提供し続けるかを決定することは、パイロットを再検討すること、チャネル品質インジケータ報告を再検討すること、前記グループサイズが１に減少される時に自動的に再検討すること、又は、その組合せを備える、請求項３に記載の方法。
【請求項５】
前記ソフタ・ハンドオフ・グループからサービング・セクタを端末に選択させることを更に備え、前記ソフタ・ハンドオフ・グループは少なくとも２つのサービング・セクタを備える、請求項１に記載の方法。
【請求項６】
ソフタ・ハンドオフ・グループと関連する部分的周波数繰り返しセットを提供し、前記部分的周波数繰り返しセットをマスタ・セクタにより管理する命令を実行するプロセッサと、
グループ同定と、前記プロセッサにより生成された前記ソフタ・ハンドオフ・グループとに関する情報を格納するメモリと
を備える無線通信装置。
【請求項７】
前記プロセッサは、
グループにより複数の端末にサービス提供し続けるかを決定し、
前記決定が、グループにより前記複数の端末にサービス提供し続けないことである場合、グループサイズを１に減少させるアクティブセットアップデートを送信する
命令を更に実行する、請求項６に記載の無線通信装置。
【請求項８】
グループにより複数の端末にサービス提供し続けるかを決定するため、前記プロセッサは、パイロットを再検討すること、チャネル品質インジケータ報告を再検討すること、前記グループサイズが１に減少される時に自動的に再検討すること、又は、その組合せの命令を更に実行する、請求項７に記載の無線通信装置。
【請求項９】
前記プロセッサは、
前記マスタ・セクタの信号を第２のセクタの信号で模倣し、
前記模倣された信号をアクセス端末に送信する
命令を更に実行する、請求項６に記載の無線通信装置。
【請求項１０】
前記プロセッサは、前記ソフタ・ハンドオフ・グループからサービング・セクタを端末に選択させる命令を更に実行し、前記ソフタ・ハンドオフ・グループは少なくとも２つのサービング・セクタを備える、請求項６に記載の無線通信装置。
【請求項１１】
ソフタ・ハンドオフ・グループを提供する無線通信装置であって、
ソフタ・ハンドオフ・グループと関連する部分的周波数繰り返しセットを提供する手段と、
前記部分的周波数繰り返しセットを、前記ソフタ・ハンドオフ・グループの一部であるマスタ・セクタにより管理する手段と
を備える無線通信装置。
【請求項１２】
前記マスタ・セクタの信号を第２のセクタの信号でコピーする手段と、
前記コピーされた信号を、前記マスタ・セクタによりサービス提供されるアクセス端末に送信する手段と
を更に備える、請求項１１に記載の無線通信装置。
【請求項１３】
グループにより複数の端末にサービス提供し続けるかを決定する手段と、
前記決定が、グループにより前記複数の端末にサービス提供し続けないことである場合、グループサイズを１に減少させるアクティブセットアップデートを送信する手段と
を更に備える、請求項１１に記載の無線通信装置。
【請求項１４】
パイロット及びチャネル品質インジケータ報告を再検討する手段と、
グループサイズが１に減少されているかを検出する手段と
を更に備える、請求項１３に記載の無線通信装置。
【請求項１５】
端末に、前記ソフタ・ハンドオフ・グループ内にあって前記端末にサービス提供すべきセクタがどれであるかを決定させる手段
を更に備える、請求項１３に記載の無線通信装置。
【請求項１６】
ソフタ・ハンドオフ・グループと関連する部分的周波数繰り返しセットを提供し、
前記部分的周波数繰り返しセットを、前記ソフタ・ハンドオフ・グループの一部であるマスタ・セクタにより管理する
機械実行可能な命令が格納された機械可読媒体。
【請求項１７】
前記命令は、
グループにより複数の端末にサービス提供し続けるかを決定することと、
前記決定が、グループにより前記複数の端末にサービス提供し続けないことである場合、グループサイズを１に減少させるアクティブセットアップデートを送信することと
を更に備える、請求項１６に記載の機械可読媒体。
【請求項１８】
グループにより複数の端末にサービス提供し続けるかを決定するため、パイロットを再検討すること、チャネル品質インジケータ報告を再検討すること、前記グループサイズが１に減少される時に自動的に再検討すること、又は、その組合せをする、請求項１７に記載の機械可読媒体。
【請求項１９】
前記命令は、
第２のセクタの信号で前記マスタ・セクタのふりをすることと、
前記第２のセクタの前記信号をアクセス端末に送信することと
を更に備える、請求項１６に記載の機械可読媒体。
【請求項２０】
前記命令は、
端末に、前記ソフタ・ハンドオフ・グループ内にあって前記端末にサービス提供すべきセクタがどれであるかを決定させること
を更に備える、請求項１６に記載の機械可読媒体。
【請求項２１】
無線通信システムにおける動作可能な装置であって、
ソフタ・ハンドオフ・グループと関連する部分的周波数繰り返しセットを提供し、
前記ソフタ・ハンドオフ・グループの一部であるマスタ・セクタを用いて前記部分的周波数繰り返しセットを管理する
ように構成されたプロセッサと、
データを格納するため、前記プロセッサに結合されたメモリと
を備える装置。
【請求項２２】
ソフタ・ハンドオフ・グループを選択する方法であって、
マスタ・セクタをサービング・セクタとして決定することと、
前記マスタ・セクタにより提供されるソフタ・ハンドオフ・グループを選択することと、
前記選択されたソフタ・ハンドオフ・グループを前記マスタ・セクタに指示することと
を備える方法。
【請求項２３】
ソフタ・ハンドオフ・グループに加わっている少なくとも２つのセクタから情報を受信することと、
前記マスタ・セクタに関するＣＱＩ報告を生成することと、
前記ソフタ・ハンドオフ・グループと関連する索引を用いて前記ＣＱＩ報告にスクランブルをかけることと、
前記スクランブルがかけられたＣＱＩ報告及び索引をＣＱＩチャネルで送信することと
を更に備える、請求項２２に記載の方法。
【請求項２４】
各パイロットが前記少なくとも２つのセクタの各々から送信された少なくとも２つのパイロットを受信することと、
前記受信されたパイロットに基づいて各セクタに対するチャネルを推定することと、
前記チャネル推定値を組合せることと、
前記組合されたチャネル推定値を用いてデータを復調することと
を更に備える、請求項２３に記載の方法。
【請求項２５】
マスタ・セクタを前記少なくとも２つのセクタから決定することは、
前記少なくとも２つのセクタの各々により送信されたパイロットを受信することと、
前記受信されたパイロットに基づいて各セクタの強度を決定することと
を備える、請求項２２に記載の方法。
【請求項２６】
前記方法は、前記マスタ・セクタと通信することを更に備え、前記通信は、前記マスタ・セクタ又は、前記ソフタ・ハンドオフ・グループ内の異なるセクタにより受信される、請求項２２に記載の方法。
【請求項２７】
前記方法は、
前記マスタ・セクタから情報を受信することを更に備え、前記情報は、前記マスタ・セクタからのもの、又は、前記ソフタ・ハンドオフ・グループに加わっている異なるセクタからのものである、請求項２２に記載の方法。
【請求項２８】
前記ソフタ・ハンドオフ・グループに加わっている異なるセクタからの前記情報は、前記マスタ・セクタにより送信された前記情報であるかのようにして現れる情報である、請求項２７に記載の方法。
【請求項２９】
マスタ・セクタをサービング・セクタとして決定し、前記マスタ・セクタにより提供される所望のソフタ・ハンドオフ・グループを決定し、前記所望のソフタ・ハンドオフ・グループを前記マスタ・セクタに伝達する命令を実行するプロセッサと、
前記プロセッサにより生成された情報を格納するメモリと
を備える無線通信装置。
【請求項３０】
前記プロセッサは、ソフタ・ハンドオフ・グループに加わっている少なくとも２つのセクタから情報を受信し、前記マスタ・セクタに関するＣＱＩ報告を生成し、前記ソフタ・ハンドオフ・グループと関連する索引を用いて前記ＣＱＩ報告にスクランブルをかけ、前記スクランブルがかけられたＣＱＩ報告及び索引をＣＱＩチャネルで送信する命令を更に実行する、請求項２９に記載の無線通信装置。
【請求項３１】
前記プロセッサは、各パイロットが前記少なくとも２つのセクタの各々から送信された少なくとも２つのパイロットを受信し、前記受信されたパイロットに基づいて各セクタに対するチャネルを推定し、前記チャネル推定値を組合せ、前記組合されたチャネル推定値を用いてデータを復調する命令を更に実行する、請求項２９に記載の無線通信装置。
【請求項３２】
前記プロセッサは、前記少なくとも２つのセクタの各々により送信されたパイロットを受信し、前記受信されたパイロットに基づいて各セクタの強度を決定する命令を更に実行する、請求項２９に記載の無線通信装置。
【請求項３３】
前記プロセッサは、前記マスタ・セクタと通信する命令を更に実行し、前記通信は、前記マスタ・セクタ又は、前記ソフタ・ハンドオフ・グループ内の異なるセクタにより受信される、請求項２９に記載の無線通信装置。
【請求項３４】
前記プロセッサは、前記マスタ・セクタから情報を受信する命令を更に実行し、前記情報は、前記マスタ・セクタからのもの、又は、前記ソフタ・ハンドオフ・グループに加わっている異なるセクタからのものである、請求項２９に記載の無線通信装置。
【請求項３５】
前記ソフタ・ハンドオフ・グループに加わっている異なるセクタからの前記情報は、前記マスタ・セクタにより送信された前記情報であるかのようにして現れる情報である、請求項３３に記載の無線通信装置。
【請求項３６】
ソフタ・ハンドオフ・グループを選択する無線通信装置であって、
マスタ・セクタをサービング・セクタとして同定する手段と、
前記マスタ・セクタにより提供されるソフタ・ハンドオフ・グループを選択する手段と、
前記選択されたソフタ・ハンドオフ・グループを前記マスタ・セクタに通知する手段と
を備える無線通信装置。
【請求項３７】
マスタ・セクタを選択する前記手段は更に、少なくとも２つのセクタの各々により送信されたパイロットを受信し、前記受信されたパイロットに基づいて各セクタの強度を確認する、請求項３６に記載の無線通信装置。
【請求項３８】
前記無線通信装置は、前記マスタ・セクタと通信する手段を更に備え、前記通信は、前記マスタ・セクタ又は、前記ソフタ・ハンドオフ・グループ内の異なるセクタにより受信される、請求項３６に記載の無線通信装置。
【請求項３９】
前記無線通信装置は、前記マスタ・セクタから情報を受信する手段を更に備え、前記情報は、前記マスタ・セクタからのもの、又は、前記ソフタ・ハンドオフ・グループに加わっている異なるセクタからのものであり、前記ソフタ・ハンドオフ・グループに加わっている異なるセクタからの前記情報は、前記マスタ・セクタにより送信された前記情報であるかのようにして現れる情報である、請求項３６に記載の無線通信装置。
【請求項４０】
マスタ・セクタをサービング・セクタとして選択し、
前記マスタ・セクタにより提供されるソフタ・ハンドオフ・グループを選択し、
前記選択されたソフタ・ハンドオフ・グループを前記マスタ・セクタに伝達する
機械実行可能な命令が格納された機械可読媒体。
【請求項４１】
前記命令は、
ソフタ・ハンドオフ・グループに加わっている少なくとも２つのセクタから情報を受信することと、
前記マスタ・セクタに関するＣＱＩ報告を生成することと、
前記ソフタ・ハンドオフ・グループと関連する索引を用いて前記ＣＱＩ報告にスクランブルをかけることと、
前記スクランブルがかけられたＣＱＩ報告及び索引をＣＱＩチャネルで送信することと
を更に備える、請求項４０に記載の機械可読媒体。
【請求項４２】
前記命令は、
各パイロットが前記少なくとも２つのセクタの各々から送信された少なくとも２つのパイロットを受信することと、
前記受信されたパイロットに基づいて各セクタに対するチャネルを推定することと、
前記チャネル推定値を組合せることと、
前記組合されたチャネル推定値を用いてデータを復調することと
を更に備える、請求項４１に記載の機械可読媒体。
【請求項４３】
前記命令は、前記マスタ・セクタと通信することを更に備え、前記通信は、前記マスタ・セクタ又は、前記ソフタ・ハンドオフ・グループ内の異なるセクタにより受信される、請求項４０に記載の機械可読媒体。
【請求項４４】
前記命令は、前記マスタ・セクタから情報を受信することを更に備え、前記情報は、前記マスタ・セクタからのもの、又は、前記ソフタ・ハンドオフ・グループに加わっている異なるセクタからのものである、請求項４０に記載の機械可読媒体。
【請求項４５】
前記ソフタ・ハンドオフ・グループに加わっている異なるセクタからの前記情報は、前記マスタ・セクタにより送信された前記情報であるかのようにして現れる情報である、請求項４０に記載の機械可読媒体。
【請求項４６】
無線通信システムにおける動作可能な装置であって、
マスタ・セクタを、選択されたセクタと決定し、
前記マスタ・セクタにより提供されるソフタ・ハンドオフ・グループを選択し、
前記選択されたソフタ・ハンドオフ・グループを前記マスタ・セクタに通知する
ように構成されたプロセッサ
を備える装置。
【発明の詳細な説明】
【技術分野】
【０００１】
［相互参照］
本願は、「SFN AND SIGNALING MECHANISMS FOR SOFTER HANDOFF GROUPS IN LBC FDD」と題され、２００６年９月１１日に出願された米国仮出願第６０／８４３８０３号と、「SFN AND SIGNALING MECHANISMS FOR SOFTER HANDOFF GROUPS」と題され、２００７年９月１０日に出願された米国特許出願第１１／８５２９６４号との利益を主張するものであり、これらの全体は、参照することにより本明細書に組み込まれる。
【背景技術】
【０００２】
I．分野
以下の記載は、概して、無線通信システムに関し、特に、無線通信ネットワークにおけるハンドオフ・グループに関する。
【０００３】
II．背景
無線通信システムは、声、データ及び他のコンテンツのような様々なタイプの通信コンテンツを提供するために広範囲にわたって配備されている。これらシステムは多元接続システムであることができ、多元接続システムは、利用可能なシステムリソース（例えば、帯域幅及び送信電力）を共有することにより、複数ユーザとの通信をサポートすることができる。このような多元接続システムの例は、符号分割多元接続（ＣＤＭＡ：code division multiple access）システム、時分割多元接続（ＴＤＭＡ：time division multiple access）システム、周波数分割多元接続（ＦＤＭＡ：frequency division multiple access）システム、第３世代パートナシッププロジェクトロングタームエボリューション（３ＧＰＰ  ＬＴＥ：3rd Generation Partnership Project Long Term Evolution）システム及び直交周波数分割多元接続（ＯＦＤＭＡ：orthogonal frequency division multiple access）システムなどを含む。
【０００４】
一般的に、無線多元接続通信システムは同時に複数の無線端末の通信をサポートすることができる。各端末は、順方向リンク及び逆方向リンクの伝送により１つ以上の基地局と通信する。順方向リンク（又はダウンリンク）は基地局から端末への通信リンクを意味し、逆方向リンク（又はアップリンク）は端末から基地局への通信リンクを意味する。この通信リンクは、単入力単出力、多入力単出力又は多入力多出力（ＭＩＭＯ：multiple-in-multiple-out）システムを介して確立されることができる。
【０００５】
ＭＩＭＯシステムは、データ伝送のため複数（ＮＴ個）の送信アンテナ及び複数（ＮＲ個）の受信アンテナを用いる。ＮＴ個の送信アンテナ及びＮＲ個の受信アンテナにより形成されたＭＩＭＯチャネルは、空間チャネルとも称されるＮＳ個の独立したチャネルに分割されることができる。ここで、ＮＳ≦ｍｉｎ{ＮＴ，ＮＲ}である。ＮＳ個の独立した各チャネルは次元に対応する。複数の送信アンテナ及び受信アンテナにより生成された追加の次元が用いられる場合、ＭＩＭＯシステムは、改善された性能（例えば、高スループット及び／又は高信頼性）を提供することができる。
【０００６】
ＭＩＭＯシステムは、時分割複信（ＴＤＤ：time division duplex）システム及び周波数分割複信（ＦＤＤ：frequency division duplex）システムをサポートする。ＴＤＤシステムでは、順方向リンク及び逆方向リンクの伝送は同一の周波数領域内にあり、これによって、相反原理が逆方向リンクチャネルからの順方向リンクチャネルの推定を可能にする。これにより、アクセスポイントで複数のアンテナが利用可能である場合、アクセスポイントは順方向リンクで送信ビームフォーミング利得を抽出することができる。
【０００７】
セルラー網と関連するアクセスポイント（基地局、アクセスネットワークなど）は、端末の受信可能範囲を継続させるように地理的に配置され、これによって、ユーザ（及び関連の端末）が位置を変更しても、ユーザはサービスを失わない。従って、移動局は、第１基地局から第２基地局へ「ハンドオフ」されることができる。言い換えれば、第１基地局と関連する地理的領域内にいる間、端末に第１基地局によりサービス提供される。端末が、第２基地局と関連する領域に運ばれると、端末は第１基地局から第２基地局へハンドオフされる。ハード・ハンドオフの場合、ユーザ（及び関連の端末）が新たな基地局に運ばれる前に、又は運ばれると、以前の基地局へのリンクは終了される。ハンドオフは、データ損失及びサービスの損失などせずに発生するのが理想的である。
【発明の概要】
【０００８】
［概要］
以下は、開示された実施形態の幾つかの側面を基本的に理解するための簡単な概要を示している。この概要は広い範囲にわたって概説するものではなく、重要な又は決定的な要素を特定しないようにも、このような実施形態の範囲を明らかにしないようにも意図されている。この概要の目的は、簡潔に記述されている実施形態の幾つかの概念を、以下に示される詳細な説明への前置きとして示すことである。
【０００９】
１つ以上の実施形態及び対応の開示によれば、様々な側面は、順方向リンクのソフタ・ハンドオフ・グループ(softer handoff group)に対するデータの伝送及びシグナリングの制御を行うことに関連して記述されている。ダイバーシティは、１つのセクタからの伝送が弱まる場合に別のセクタが伝送を行ってデータの損失を軽減できるように提供される。従って、不適切なチャネル状態に対するロバスト性が獲得されることができる。１つの側面には、ソフタ・ハンドオフ・グループを有効にする方法が含まれている。この方法は、ソフタ・ハンドオフ・グループと関連する部分的周波数繰り返しセット（fractional frequency reuse set）を提供することと、部分的周波数繰り返しセットを、ソフタ・ハンドオフ・グループの一部であるマスタ・セクタ(master sector)により管理することとを含むことができる。
【００１０】
別の側面は、プロセッサ及びメモリを備える無線通信装置に関する。プロセッサは、ソフタ・ハンドオフ・グループと関連する部分的周波数繰り返しセットを提供し、部分的周波数繰り返しセットをマスタ・セクタにより管理する命令を実行することができる。メモリは、グループ同定(identification)と、プロセッサにより生成されたソフタ・ハンドオフ・グループとに関する情報を格納することができる。
【００１１】
関連の側面には、永続的なグループリソースを割り当てる無線通信装置が含まれる。この装置は、ソフタ・ハンドオフ・グループと関連する部分的周波数繰り返しセットを提供する手段を含む。この装置には、部分的周波数繰り返しセットをマスタ・セクタにより管理する手段も含まれ、マスタ・セクタはソフタ・ハンドオフ・グループの一部である。
【００１２】
更なる側面は、ソフタ・ハンドオフ・グループと関連する部分的周波数繰り返しセットを提供する機械実行可能(machine-executable)な命令が格納された機械可読媒体(machine-readable medium)に関する。しかも、機械実行可能な命令は部分的周波数繰り返しセットをマスタ・セクタにより管理し、マスタ・セクタはソフタ・ハンドオフ・グループの一部である。
【００１３】
更なる別の側面は、無線通信システムにおける動作可能な装置に関する。この装置は、ソフタ・ハンドオフ・グループと関連する部分的周波数繰り返しセットを提供するように構成されたプロセッサを備える。プロセッサは、マスタ・セクタを用いて部分的周波数繰り返しセットを管理するようにも構成されることができ、マスタ・セクタはソフタ・ハンドオフ・グループの一部である。この装置は、データを格納するため、プロセッサに結合されたメモリをも含む。
【００１４】
別の側面は、ソフタ・ハンドオフ・グループを選択する方法に関する。この方法は、マスタ・セクタをサービング・セクタ(serving sector)として決定することを含む。この方法には、マスタ・セクタにより提供されるソフタ・ハンドオフ・グループを選択することと、選択されたソフタ・ハンドオフ・グループをマスタ・セクタに指示することも含まれる。
【００１５】
関連の側面には、プロセッサと、プロセッサにより生成された情報を格納するメモリとを含む無線通信装置が含まれる。プロセッサは、マスタ・セクタをサービング・セクタとして決定する命令と、マスタ・セクタにより提供される所望のソフタ・ハンドオフ・グループを決定する命令とを実行することができる。プロセッサは、所望のソフタ・ハンドオフ・グループをマスタ・セクタに伝達する命令をも実行することができる。
【００１６】
ソフタ・ハンドオフ・グループを選択する無線通信装置は、本明細書に開示された別の側面である。この装置は、マスタ・セクタをサービング・セクタとして同定する手段を備える。更に、マスタ・セクタにより提供されるソフタ・ハンドオフ・グループを選択する手段と、選択されたソフタ・ハンドオフ・グループをマスタ・セクタに通知する手段とが含まれる。
【００１７】
更なる側面は、マスタ・セクタをサービング・セクタとして選択する機械実行可能な命令が格納された機械可読媒体を関する。更に、機械実行可能な命令は、マスタ・セクタにより提供されるソフタ・ハンドオフ・グループを選択し、選択されたソフタ・ハンドオフ・グループをマスタ・セクタに伝達することができる。
【００１８】
別の側面は、無線通信システムにおける動作可能な装置であって、マスタ・セクタを、選択されたセクタと決定するように構成されることができるプロセッサを備える装置に関する。プロセッサは、マスタ・セクタにより提供されるソフタ・ハンドオフ・グループを選択し、選択されたソフタ・ハンドオフ・グループをマスタ・セクタに通知するようにも構成されることができる。
【００１９】
前述及び関連の目的を達成するため、１つ以上の実施形態は、以下で更に詳細に説明され、特に特許請求の範囲で指摘される特徴を備える。以下の記述及び添付図面は特定の例示的な側面を詳細に説明しているが、実施形態の原理が用いられることができる様々な態様のほんの数例を示している。他の利点及び新規な特徴は、図面と併せて考慮される以下の詳細な説明から明らかになり、開示された実施形態は、このような側面及びそれらと等価なものすべてを含むように意図されている。
【図面の簡単な説明】
【００２０】
【図１】ソフタ・ハンドオフ・グループに用いられることができる多元接続無線通信システムを示す図。
【図２】ソフタ・ハンドオフ・グループを提供するための様々な実施形態による多元接続無線通信システムを示す図。
【図３】ＵＭＢにおいてソフタ・ハンドオフ・グループを容易にする例示的なシステムを示す図。
【図４】ソフタ・ハンドオフ・グループの選択を容易にする例示的なシステムを示す図。
【図５】部分的周波数繰り返しの例示的な表現を示す図。
【図６】ソフタ・ハンドオフ・グループを有効にする方法を示す図。
【図７】ソフタ・ハンドオフ・グループを選択する方法を示す図。
【図８】送信機システム及び受信機システムの実施形態を示すブロック図。
【図９】ソフタ・ハンドオフ・グループを提供する例示的なシステムを示す図。
【図１０】ソフタ・ハンドオフ・グループを選択する例示的なシステムを示す図。
【発明を実施するための形態】
【００２１】
［詳細な説明］
次に、様々な実施形態は図面を参照して説明される。この説明のために、以下の記述には、１つ以上の側面を完全に理解するための多くの特定の詳細が記述されている。しかし、このような（１つ以上の）実施形態はこれら特定の詳細なしに実施されることができることは明らかである。他の例では、周知の構造体及びデバイスは、これら実施形態の説明を容易にするようにブロック図の形式で示されている。
【００２２】
本願に用いられるように、用語「コンポーネント」、「モジュール」及び「システム」などは、コンピュータ関連のエンティティや、ハードウェア、ファームウェア、ハードウェア及びソフトウェアの組合せ、ソフトウェア又は、実行中のソフトウェアのどちらかを意味するように意図されている。例えば、コンポーネントは、限定されるものではないが、プロセッサ上で実行する処理、プロセッサ、オブジェクト、実行ファイル、実行のスレッド、プログラム及び／又はコンピュータであることができる。一例として、コンピューティングデバイス上で実行するアプリケーション及びコンピューティングデバイスの双方はコンポーネントであることができる。１つ以上のコンポーネントは実行の処理及び／又はスレッド内に存在することができ、コンポーネントは１つのコンピュータ上に局在されることができ、及び／又は、２つ以上のコンピュータ間に分散されることができる。更に、これらコンポーネントは、様々なデータ構造体が記憶された様々なコンピュータ可読媒体から実行することができる。コンポーネントは、局所処理及び／又は遠隔処理を介して、例えば、１つ以上のデータパケット（例えば、局所システム内の別のコンポーネント、分散型システム、及び／又は、インターネットのようなネットワークにわたって他のシステムと信号により相互作用する１つのコンポーネントからのデータ）を有する信号に従って通信することができる。
【００２３】
更に、本明細書では、様々な実施形態は無線端末に関連して説明される。無線端末は、システム、加入者ユニット、加入者局、移動局、移動体、移動デバイス、遠隔局、遠隔端末、アクセス端末、ユーザ端末、端末、無線通信装置、ユーザエージェント、ユーザデバイス又はユーザ機器（ＵＥ：user equipment）とも称されることができる。無線端末は、携帯電話、コードレス電話、セッション開始プロトコル（ＳＩＰ：Session Initiation Protocol）電話機、ワイヤレスローカルループ（ＷＬＬ：wireless local loop）局、携帯情報端末（ＰＤＡ：personal digital assistant）、無線接続機能を有するハンドヘルドデバイス、コンピューティングデバイス、又は、無線モデムに接続された他の処理デバイスであることができる。更に、本明細書では、様々な実施形態は基地局に関連して説明される。基地局は、（１つ以上の）無線端末と通信するのに用いられることができ、アクセスポイント、ノードＢ又は他の何らかの専門用語としても称されことができる。
【００２４】
様々な側面又は特徴は、多くのデバイス、コンポーネント及びモジュールなどを含むことができるシステムの点から示される。当然のことながら、様々なシステムは、追加のデバイス、コンポーネント及びモジュールなどを含むことができ、及び／又は、図に関連して説明されたデバイス、コンポーネント及びモジュールなどを必ずしもすべて含まなくてもよいことは明らかである。これらアプローチの組合せも用いられることができる。
【００２５】
次に図を参照すると、図１は、ソフタ・ハンドオフ・グループに用いられることができる多元接続無線通信システム１００を示している。システム１００は、複数のアンテナグループを含むことができるアクセスポイント（ＡＰ：access point）１０２を含む。１つのアンテナグループは１０４，１０６を含み、別のアンテナグループは１０８，１１０を含み、更なるアンテナグループは１１２，１１４を含む。図１では、各アンテナグループに対して２つだけのアンテナが示されているが、各アンテナグループに対して２つよりも多い又は少ないアンテナが用いられることができる。アクセス端末（ＡＴ：access terminal）１１６はアンテナ１１２，１１４と通信し、アンテナ１１２，１１４は順方向リンク１１８を介して情報をアクセス端末１１６に送信し、逆方向リンク１２０を介してアクセス端末１１６から情報を受信する。アクセス端末１２２はアンテナ１０６，１０８と通信し、アンテナ１０６，１０８は順方向リンク１２４を介して情報をアクセス端末１２２に送信し、逆方向リンク１２６を介してアクセス端末１２２から情報を受信する。周波数分割複信（ＦＤＤ）システムでは、通信のため、通信リンク１１８，１２０，１２４，１２６は異なる周波数を用いることができる。例えば、順方向リンク１１８は、逆方向リンク１２０により用いられる周波数とは異なる周波数を用いることができる。幾つかの側面によれば、単一周波数ネットワーク（ＳＦＮ：single frequency network）が用いられることができる。
【００２６】
アンテナの各グループ、及び／又は、これらアンテナが通信するように設計されている領域は、アクセスポイントのセクタと称されることが多い。図示されるように、アンテナグループは、アクセスポイント１０２によってカバーされた領域のセクタ内のアクセス端末に伝達するように設計されることができる。
【００２７】
順方向リンク１１８，１２４を介する通信では、アクセスポイント１０２の送信アンテナはビームフォーミングを用いて、異なるアクセス端末１１６，１２２に対する順方向リンクのＳＮ比を改善する。しかも、受信可能範囲にわたってランダムに分散されたアクセス端末に送信するのにビームフォーミングを用いるアクセスポイントは、隣接するセル内のアクセス端末への干渉を、単一アンテナを介してすべてのアクセス端末に送信するアクセスポイントよりも低下させる。
【００２８】
本明細書で用いられるように、アクセスポイントは、端末と通信するのに用いられる固定局であることができ、基地局、ノードＢ又は他の何らかの専門用語としても称されることができ、それらの機能の一部又は全部を含むことができる。アクセス端末は、ユーザ機器（ＵＥ）、無線通信装置、端末、無線端末、移動局又は他の何らかの専門用語としても称されることができ、それらの機能の一部又は全部を含むことができる。
【００２９】
図２は、ソフタ・ハンドオフ・グループを提供するための様々な実施形態による多元接続無線通信システム２００を示している。システム２００は、少なくとも２つのアクセスポイントがほぼ同時にアクセス端末にサービス提供することを容易にする。部分的周波数繰り返しセットは、単一周波数ネットワーク（ＳＦＮ）を提供するのに用いられることができる。一般的に、ＳＦＮは、１つの基地局しか信号を送信していないように端末に現れるように複数の基地局が同一信号を送信することを意味する。ソフタ・ハンドオフとの関連において、このビヘイビア（behavior）は、基地局により送信される信号の一部（例えば、端末に送信される単一パケット）にのみ生じる。この状況は、「ソフタ・ハンドオフ」と称される。周波数繰り返しは、単一システム内で同一周波数を繰り返し使用する機能を提供する。ソフタ・ハンドオフ・グループと関連する繰り返しセットは、繰り返しセットの一部であることができる単一マスタ・セクタにより管理されることができる。グループは、アクセスポイントによるグループ指示、アクセス端末によるグループ要求、又はその組合せのようなハンドオフ規則に基づくことができる。チャネル品質報告は、他のシステムと類似した状態に維持することができる。
【００３０】
更に詳細には、多元接続無線通信システム２００は、複数のセル例えば、セル２０２，２０４，２０６を含む。図２の実施形態では、各セル２０２，２０４，２０６は、複数のセクタを含むアクセスポイント２０８，２１０，２１２を含むことができる。複数のセクタは、各アンテナがセルの一部内のアクセス端末との通信を司るアンテナのグループにより形成される。セル２０２では、アンテナグループ２１４，２１６，２１８は各々異なるセクタに対応する。セル２０４では、アンテナグループ２２０，２２２，２２４は各々異なるセクタに対応する。セル２０６では、アンテナグループ２２６，２２８，２３０は各々異なるセクタに対応する。
【００３１】
各セルは、各アクセスポイントの１つ以上のセクタと通信する幾つかのアクセス端末を含む。例えば、アクセス端末２３２，２３４，２３６，２３８は基地局２０８と通信し、アクセス端末２４０，２４２，２４４はアクセスポイント２１０と通信し、アクセス端末２４６，２４８，２５０はアクセスポイント２１２と通信する。
【００３２】
セル２０４に示されるように、例えば、各アクセス端末２４０，２４２，２４４は、同一セル内でそれぞれ他のアクセス端末とは異なるセル２０４の部分に配置されている。更に、各アクセス端末２４０，２４２，２４４は、各々が通信する対応のアンテナ群から異なる距離を置くことができる。これら要因の双方は、セル内の環境及び他の状態の理由からも、各アクセス端末と、各アクセス端末が通信する対応のアンテナグループとの間に異なるチャネル状態を存在させる状況を生じさせる。
【００３３】
幾つかの側面によれば、特定のセル内のアクセス端末は、このセルと関連するアクセスポイントと通信することができ、これとほぼ同時に、異なるセルと関連するアクセスポイントと通信することができる。例えば、アクセス端末２３２はアクセスポイント２０８，２１０と通信することができ、アクセス端末２４８はアクセスポイント２１０，２１２と通信することができ、アクセス端末２５０はアクセスポイント２０８，２１２と通信することができる。
【００３４】
２つ以上のアクセスポイントと通信するアクセス端末は、各アクセスポイントから順方向リンクで信号を受信することができる。各アクセスポイントからの信号は、ほぼ同じ信号である（例えば、あるアクセスポイントは、端末に対してトランスペアレントに別のアクセスポイントのふりをする（impersonate））。しかし、アクセス端末は、アクセス端末が通信しているのがどのアクセスポイントなのか分からない、又は気にしないことがある。その理由は、アクセス端末が、マスタ・セクタからのものであるかのようにして現れる信号を受信するためである。従って、異なるセクタはマスタ・セクタのふりをする。逆方向リンクでは、アクセス端末は送信することができ、双方のセクタ（例えばアクセスポイント）は傾聴することができ、良い方のチャネルを有するアクセスポイントは常にアクセス端末にサービス提供することができる。これに関する更なる情報は、以下で後の図面に示されている。
【００３５】
コントローラ２５２はセル２０２，２０４，２０６の各々に結合されている。コントローラ２５２は、多元接続無線通信システム２００のセルと通信するアクセス端末と情報のやり取りをするインターネット、他のパケットベースのネットワーク又は回路交換音声ネットワークのような複数のネットワークへの１つ以上の接続部を含むことができる。コントローラ２５２は、アクセス端末との間でやり取りする伝送をスケジュールするスケジューラを含むか、又は、これと結合されている。幾つかの実施形態では、スケジューラは、それぞれ個々のセル、セルの各セクタ、又はその組合せに存在しうる。
【００３６】
各セクタは、複数の搬送波の１つ以上を用いて動作することができる。各搬送波は、システムが動作できるか又は通信に利用できる広帯域幅の一部である。１つ以上の搬送波を用いる単一セクタは、任意の所定の時間間隔（例えば、フレーム又はスーパーフレーム）中、異なる搬送波の各々にスケジュールされた複数のアクセス端末を有することができる。更に、１つ以上のアクセス端末は、複数の搬送波にほぼ同時にスケジュールされることができる。
【００３７】
アクセス端末は、機能に応じて１つの搬送波又は２つ以上の搬送波にスケジュールされることができる。これら機能は、アクセス端末が通信を獲得しようとする時に発生するか又は以前に取り決められていたセッション情報の一部であることができ、又は、アクセス端末により送信される同定情報の一部であることができ、又は、別のアプローチに従って確立されることができる。特定の側面では、セッション情報は、アクセス端末に照会するか又は伝送を介して機能を決定することにより発生するセッション同定トークンを備えることができる。
【００３８】
図２は（例えば、異なるセクタに対して異なるアンテナグループを有する）物理セクタを示しているが、他のアプローチが用いられることができることに留意されたい。例えば、周波数空間内にセルの異なる領域を各々カバーする複数の固定「ビーム」の使用は物理セクタの代わりに又は物理セクタと組合せて用いられることができる。
【００３９】
図３は、ＵＭＢにおいてソフタ・ハンドオフ・グループを容易にする例示的なシステム３００を示している。端末には、順方向リンクで２つのセクタによりほぼ同時にサービス提供されることができる。セクタは、同一のセル又は異なるセルに含まれることができ、双方のセクタが類似のパケットを送信する（例えば、一方のセクタが他方のセクタのふりをする）ことにより同じセクタであるかのようにして端末に現れることができる。端末は、何らかの情報を双方のセクタから受信することができるが、サービング・セクタから受信された情報のみを信じることができる。システム３００は、一方のセクタからの伝送が弱まる場合に他方のセクタが伝送を行ってデータの損失を軽減できるようにダイバーシティを提供することができる。従って、不適切なチャネル状態に対するロバスト性はシステム３００により得られることができる。
【００４０】
システム３００は、端末３０４と通信するセクタ３０２を含む。以下で説明されるように、端末３０４によりセクタ３０２が選択された場合、セクタ３０２はマスタ・セクタと称されることができ、マスタ・セクタはソフタ・ハンドオフ・グループの一部である。第２のセクタ３０６も端末３０４と通信することができる。当然のことながら、２つ以上の端末及び３つ以上のセクタがシステム３００に含まれることができ、図は例示の目的のためのみに示されている。当然のことながら、更に、セクタ３０２を参照して示され説明されている機能は、図示されていないが第２のセクタ３０６の機能に含まれることができる。
【００４１】
ソフタ・ハンドオフ・グループを容易にするため、セクタ３０２は、ソフタ・ハンドオフに利用できるグループを決定するように構成されることができるグループインジケータ３０８を含むことができる。グループインジケータ３０８は、第１グループ同定及び第２グループ同定などに関する情報を提供することができる。幾つかの側面によれば、グループは静的である。
【００４２】
グループ情報はアドバタイザ３１０に伝達されることができ、アドバタイザ３１０は、セクタ内でサポートされることができ、かつ端末３０４が利用できるソフタ・ハンドオフ・グループを端末３０４に通知するように構成されることができる。セクタ３０２が利用可能であり、ソフタ・ハンドオフを行うことに進んで加わろうとしている場合、セクタ３０２は、アドバタイザ３１０を介してこの情報を送信することができる。セクタ３０２が加わりたくない場合、アドバタイザ３１０は情報を送信しない。ソフタ・ハンドオフに加わっているセクタが同一セルに含まれている場合、単一基地局（図示せず）はこの情報を通知することができる。セクタが異なるセルからのものである場合、それぞれのセクタごとの基地局はバックホール（backhaul）で伝達することができる。
【００４３】
アドバタイザ３１０により送信された情報は、リソース、パイロット及び他のデータを含む割り当てメッセージを含むことができる。オーバーヘッドチャネル又は他のシグナリングにおいて、各セクタは、それぞれのアドバタイザ３１０を介して、利用できるグループをアクセス端末３０４に通知することができる。各セクタはパイロットを送信することができ、端末３０４はパイロットを用いて、各セクタからの信号の強度、従って各グループの信号の強度を決定することができる。
【００４４】
この情報に部分的に基づいて、端末３０４は、通信するのに有利となるグループを決定することができ、特定のグループがアクティブセットに追加されることを要求することができる（例えば、端末は、２つ以上のセクタにより端末にサービス提供されるよう要求している）。端末３０４が、アクティブセットに追加されたグループを有すると、端末３０４はグループメンバーにハンドオフすることができる。アクティブセットは、端末３０４が迅速に切り替わることができるセクタを指示することができる。従って、端末３０４には、ソフタ・ハンドオフ・グループを選択する機会が提供される。
【００４５】
端末３０２はグループ内の全セクタからのＳＦＮ伝送を仮定することができ、かつ、端末３０２がグループメンバーからハンドオフ端末による干渉を経験しないことができると仮定することができる。ＳＦＮ動作は、セクタ３０２がソフタ・ハンドオフ・グループの非マスタ・メンバーに特定数のサブバンド／インターレース対を保有することにより達成されることができる。サブバンド／インターレース対はポートセットと称されることができる。セクタ３０２は、ポートセット内の一部のリソースを介してマスタにより割り当てられたリソースに順方向リンクデータを全グループメンバーで端末３０４へ送信することができる。更に、セクタ３０２は、端末に対してトランスペアレントな形態の送信ダイバーシティ例えば巡回遅延ダイバーシティ又は回転ダイバーシティ（rotation diversity）を用いることができる。
【００４６】
各セクタ３０２は電力プロファイルを選択し、特定のサブバンドで送信するか否かを決定することができる。各セクタ３０２は、各サブバンドで高電力又は低電力を送信するかを更に決定することができる。このことは、例えば、一部のサブバンドが全周波数繰り返しを有する（例えば、すべてのセクタが送信する）ことができ、及び／又は、一部のサブバンドが１／３周波数繰り返しを有する（例えば、３番目のセクタごとに１つのセクタだけが送信する）ことができるように周波数プランを生成するために用いられることができる。
【００４７】
ＳＦＮ動作のための組合せはブロックホッピングにより容易になることができる。このホッピングは、小ブロックに分割されているグループに属する。これらブロックは、一連の狭帯域であることができ、各ブロックは、共通パイロットとして既知である独自のパイロットを含むことができる。パイロットは、類似の電力及びデータを伴って類似の方向に送信される。２つの異なるセクタが一ブロックを送信する場合、データは一致し、パイロットは一致し、従って、端末は、どのセクタが送信しているのかを知る必要がない。端末はパイロットを調べ、一部のチャネルを測定し、データは同一のチャネルに到達する。従って、このデータは端末に対してトランスペアレントである。
【００４８】
組合せが容易になりうる方法が他にもある。この場合は端末に対してトランスペアレントではない。例えば、すべての端末に共通である共通パイロットが存在する場合、各セクタは独自のパイロットを連続して送信することができる。アクセス端末は各基地局からのチャネルを別々に推定し、２つのチャネルを組合せて結合チャネルを獲得する。データチャネルは、双方のセクタによりＳＦＮ方式に送信される（例えば、各セクタは同一の副搬送波で同一の変調シンボルを送信する）。端末は、２つのセクタからの組合された推定値を用いてデータを復調することができる。
【００４９】
ソフタ・ハンドオフ・グループに隣接するセクタは、ソフタ・ハンドオフ・グループ自体のユーザに対して一部のサブバンドを空けておくことができる。従って、「セクタＡ」が「ユーザＡ」に送信する場合、「セクタＢ」は空であるので、ユーザは「セクタＢ」からの干渉を経験しない。その代わりに、又はそれに加えて、「セクタＡ」のふりをする「セクタＢ」は「ユーザＡ」に電力を送信し、より多くの電力を「ユーザＡ」に供給することができる。従って、レプリケータ３１２は、端末３０４により選択されたセクタ（例えばマスタ・セクタ）から送信された信号を模倣(mimic)又は複製するように構成されることができる。セクタ３０２は割り当てメッセージを送信し、一部のリソース及びパイロットを供給することができる。他のセクタ３０６は、この特定の端末３０４のためにセクタ３０２のふりをする。（それぞれのレプリケータを介して）他のセクタ３０６は、類似のスクランブルパターン、類似のホッピングパターン及び類似のパイロットスクランブルパターンなどを用いることができる。従って、セクタ３０２が選択された場合、セクタ３０６は、選択されたセクタ３０２のふりをすることができ、セクタ３０６は追加のエネルギーをセクタ３０２のホッピングパターンで送信して、より多くのエネルギーを端末３０４に供給することができる。
【００５０】
細粒度の帯域幅分割が行われることができる。例えば、５ＭＨｚシステムでは、８つのタイムスロット（例えば、８つのインターレース）が存在し、１つのインターレース上の１つのサブバンドは、帯域幅の不要な浪費を最小限に抑えることができる約４％の粒度を有することができる。
【００５１】
スケジューリングは動的であることができ、任意の所定のスロットにおいて、セクタは、サブバンドを空にするか、又は、サブバンドで送信するか（例えば、複数のセクタによる送信）を決定することができる。チャネル品質はサービング・セクタに基づいてサポートされることができる。更に、部分的な繰り返しの帯域幅は、他の（非ハンドオフ）端末をスケジュールして帯域幅の浪費を軽減するのに用いられることができる。
【００５２】
セクタ３０２は、グループによる端末へのサービスを停止することをセクタ３０２が決定した場合に用いられることができるアクティブセットアップデータ（active set updater）３１４をも含むことができる。この決定は、パイロット及び／又はチャネル品質インジケータ（ＣＱＩ：channel quality indicator）報告に基づくことができ、及び／又は、この決定は、アクティブセットサイズが１に減少される（例えば、セット内の端末が１つだけの）時に自動的に生じることができ、又は、これらを組合せることができる。チャネル品質報告はマスタ・セクタのチャネル品質に基づくことができる。適切なチャネル品質は順方向リンク制御セグメントの電力制御にとって重要である。しかし、報告が順方向データチャネル（Ｆ−ＤＣＨ：forward data channel）のＳＦＮ送信に対してペシミスティック（pessimistic）であることがあることに留意されたい。しかし、利得は、早期終了のため、レート予測バックオフループ及びハイブリッド自動再送要求（Ｈ−ＡＲＱ：Hybrid Automatic Repeat-reQuest）により獲得される。
【００５３】
Ｈ−ＡＲＱでは、パケットがユーザに送信される場合、パケット又はデータフレームが成功裏に復号化されたならば、肯定確認応答（ＡＣＫ：positive acknowledgement）が送信側装置に送信される。パケットが成功裏に復号化されなかったならば、再送要求（例えば、追加の冗長ビット）は受信側装置により送信される。受信側装置がＡＣＫで応答するために適切な間隔を設けるタイムアウトが提供されることができる。時間の満了前にＡＣＫが受信側装置で受信されなかった場合、所定数の試行が上回らなかったならば、データフレームは再送される。情報が成功裏に復号化されたならば、受信側装置は、その後の伝送からの情報を、最初の伝送から受信した情報と組合せる。Ｈ−ＡＲＱの結果として、受信側装置が、低すぎるＣＱＩを報告する場合、受信側装置は、全セクタからの改善された信号品質から依然として利益を得る。その理由は、より少数の伝送の後、復号化が成功裏に終了することができるからである。
【００５４】
ソフタ・ハンドオフ・サポートを有するチャネル品質報告は従来のチャネル品質報告に類似することができる。逆方向リンクチャネル品質制御インジケータ（Ｒ−ＣＱＩＣＨ：reverse link channel quality control indicator）は「制御ＣＱＩ」を報告することができる。チャネル品質インジケータ値（ＶＣＱＩ：Channel quality indicator value）報告は、上位層シグナリングによりインターレースごとの１サブバンド当たりの長期ＣＱＩを獲得することができる。ＶＣＱＩ報告は上位層メッセージングにより送信されることができる。ＵＭＢにおける逆方向リンクサブバンド帰還チャネル（Ｒ−ＳＦＣＨ：reverse link subband feedback channel）は「サブバンドＣＱＩ」を獲得することができる。逆方向リンクビーム帰還チャネル（Ｒ−ＢＦＣＨ：reverse link beam feedback channel）及び逆方向リンクＭＩＭＯチャネル品質インジケータは「ＭＩＭＯ  ＣＱＩ」を報告することができる。前述された情報はいかなる通信システムに対しても一般的であるが、この段落で説明された制御チャネルはウルトラモバイルブロードバンド（ＵＭＢ：Ultra Mobile Broadband）システムに即していることに留意されたい。
【００５５】
グループによる端末へのサービスを中断すると決定すると、アクティブセットアップデータ３１４は、グループサイズを１に減少させる（例えば、いかなるグループもこの端末で利用できないという）「アクティブセットアップデート(active set update)」を送信する。アクティブセットアップデータ(active set updater)３１４によるメッセージ伝達は最優先で実行される必要がなく、セクタ３０２が端末３０４へのサービスを停止することを決定した後で、グループに基づくハンドオフを継続的に要求することから端末を軽減するにすぎない。
【００５６】
システム３００は、セクタ３０２に動作可能に結合されたメモリ３１６を含むことができる。メモリ３１６は、グループ同定、グループメンバー索引、アクティブセット、及び、プロセッサにより生成された他のデータに関する情報を格納することができる。幾つかの側面によれば、メモリ３１６は、周波数繰り返しに関する情報、及び、通信ネットワーク内のソフタ・ハンドオフ・グループに関する他の適切な情報を格納することができる。プロセッサ３１８は、セクタ３０２（及び／又はメモリ３１６）に動作可能に接続されて、ソフタ・ハンドオフ・グループをアクセスポイントによる指示又はアクセス端末による要求に基づいて生成することに関連する命令を実行することができる。
【００５７】
幾つかの側面によれば、プロセッサ３１８は、通信ネットワークのソフタ・ハンドオフ・グループに関連する品質報告及び／又はＳＦＮ動作の分析に関連する命令を実行することができる。プロセッサ３１８は、アクティブセットを生成する命令、特定のアクセス端末にサービス提供するかを選択的に決定する命令、及び、（例えば、別のセクタを模倣する）他のセクタにより送信された情報にほぼ類似する情報を送信する命令などを実行することができる。
【００５８】
プロセッサ３１８は、セクタ３０２により受信された情報（例えば、アクティブグループの選択及びユーザ装置の位置など）を分析及び／又は生成することを専用とするプロセッサであることができる。プロセッサ３１８は、システム３００の１つ以上のコンポーネントを制御するプロセッサ、及び／又は、セクタ３０２により受信された情報を分析しかつ生成し、システム３００の１つ以上のコンポーネントを制御するプロセッサであることもできる。
【００５９】
メモリ３１６は、グループにリソースを割り当てること、グループＩＤを生成すること、及び、セクタ３０２と端末３０４との間の通信を制御するための処置を取ることなどに関連するプロトコルを格納することができ、これにより、システム３００は、格納されたプロトコル及び／又はアルゴリズムを用いて、本明細書で説明されるように、ソフタ・ハンドオフ・グループを無線ネットワークにおいて達成することができる。
【００６０】
本明細書に記述されているデータ格納（例えば記憶）コンポーネントが揮発性メモリ又は不揮発性メモリのどちらかであることができ、又は、揮発性メモリ及び不揮発性メモリの双方を含むことができることは明らかである。不揮発性メモリは、限定ではなく一例として、読み出し専用メモリ（ＲＯＭ：read only memory）、プログラム可能なＲＯＭ（ＰＲＯＭ：programmable ROM）、電気的にプログラム可能なＲＯＭ（ＥＰＲＯＭ：electrically programmable ROM）、電気的に消去可能なＲＯＭ（ＥＥＰＲＯＭ：electrically erasable ROM）又はフラッシュメモリを含むことができる。揮発性メモリは、外部キャッシュメモリとして作用するランダムアクセスメモリ（ＲＡＭ：random access memory）を含むことができる。ＲＡＭは、限定ではなく一例として、シンクロナスＲＡＭ（ＤＲＡＭ）、ダイナミックＲＡＭ（ＤＲＡＭ：dynamic RAM）、シンクロナスＤＲＡＭ（ＳＤＲＡＭ：synchronous DRAM）、ダブルデータレートＳＤＲＡＭ（ＤＤＲ  ＳＤＲＡＭ：double data rate SDRAM）、拡張ＳＤＲＡＭ（ＥＳＤＲＡＭ：enhanced SDRAM）、シンクリンクＤＲＡＭ（ＳＬＤＲＡＭ：Synchlink DRAM）及びダイレクトラムバスＲＡＭ（ＤＲＲＡＭ：direct Rambus RAM）のような多くの形態で利用可能である。開示された実施形態のメモリ３１６は、限定されるものではないが、これらのメモリ及び他の適切なタイプのメモリを備えるように意図されている。
【００６１】
図４は、ソフタ・ハンドオフ・グループの選択を容易にする例示的なシステム４００を示している。システム４００は、１つ以上の端末４０２と通信する１つ以上のセクタ４０２を含む（図面を簡潔にするため、各々１つだけしか図示されていない）。端末４０４には、アクティブセットアップデートにより指示されることができるソフタ・ハンドオフ・グループを選択する機能が設けられている。ソフタ・ハンドオフ・グループは端末４０４により定義されることができ、各グループに対応するマスタ・セクタを有する端末のアクティブセットから一連のセクタを備える。
【００６２】
１つ以上のセクタ４０２は、端末４０４がソフタ・ハンドオフに利用できることを端末４０４に通知することができる。各セクタはパイロットを送信し、端末４０４はこれらパイロットを用いて、各セクタの強度、従って各グループの強度を決定することができる。この情報に部分的に基づいて、端末４０４は、より有利となるグループを決定することができ、より有利となると決定されたグループにより端末４０４にサービス提供されることを要求することができる。
【００６３】
端末４０２は、グループリクエスタ４０８によりアクセスされることができるハンドオフ・グループ索引４０６を含むことができる。ハンドオフ・グループ索引４０６は、順方向リンク・ハンドオフ要求中に所望されたグループ索引を指示するように構成されることができる。グループ索引４０６は、ソフタ・ハンドオフ・グループに加わっているセクタ４０２でポピュレート（populate）されることができる。逆方向チャネル品質インジケータチャネル（Ｒ−ＣＱＩＣＨ）には、順方向リンク切り替え要求中の端末により所望されたソフタ・ハンドオフ・グループの識別子（ＩＤ：identifier）を用いてスクランブルがかけられることができる。切り替え要求は、所望の順方向リンクサービング・セクタ（ＤＦＬＳＳ：Desired Forward Link serving sector）フラグを設定することにより指示されることができる。切り替え要求は、マスタの切り替え（ＦＬＳＳ）及び／又はＳＦＮグループを指示する。
【００６４】
従って、グループリクエスタ４０８は、端末４０４にサービス提供することを所望するソフタ・ハンドオフ・グループを指示することができる。この指示は、ＣＱＩチャネルにスクランブルを用いることにより送信されることができる（例えば、アクティブセット内の各ソフタ・ハンドオフ・グループは、ＵＭＢにおいてソフタ・ハンドオフ・グループ索引（ＳＨＯＧＩＤ：Softer Handoff Group index）として既知である索引を有する）。端末４０４は所望のグループを基地局に指示するため、ＳＨＯＧＩＤを用いて、マスタ・セクタのみのＣＱＩに対応するＣＱＩ報告にスクランブルをかける。端末４０４が、アクティブセットに追加されたグループを有すると、端末４０４はグループメンバーにハンドオフすることができる。アクティブセットは、端末４０４が迅速に切り替わることができるセクタを指示することができる。従って、端末４０４には、ソフタ・ハンドオフ・グループを選択する機会が提供される。
【００６５】
ソフタ・ハンドオフに２つ以上のセクタが選択されたかもしれないが、端末４０４は、端末４０４が１つのセクタとしか通信していないように動作する。セクタは一緒に動作し、ほぼ同時にデータを端末４０４に送信する。端末４０４は、選択されたセクタ４０２によりデータが送信されたようにデータを受信する（例えば、セクタは、セクタの伝送が実際に受信されている端末４０４に対してトランスペアレントである）。端末４０４は、セクタが端末４０４のサービング・セクタであり、所定のグループによりサービス提供されることをこの端末４０４が所望することを１つのセクタに通知する。例えば、セクタ４０２は、端末４０４が利用できるグループが４つ存在し、端末４０４がこれら４つのグループから選択することができることを端末４０４に通知することができる。
【００６６】
グループを選択した後、端末４０４は、選択されたセクタとだけ端末４０４が通信するように動作する。例えば、ＯＦＤＭシステムでは、ホッピングパターンと、メッセージのスケジューリングと、端末のチャネライゼーション及び通信の受信を用いる他のイベントとが存在する。これらの目的のすべてに対して、端末４０４はサービング・セクタに伝達する。従って、端末４０４はセクタのグループを１つのセクタとして処理し、端末４０４が通常通りに実行する動作を実行する。しかし、２つ以上のセクタが含まれるので、端末４０４はより多くのエネルギーを受信する。
【００６７】
更に、基地局により訂正のために用いられるＣＱＩ帰還情報はサービング・セクタのみに基づいて決定される。端末４０４は送信中の他のセクタに依存するのではなく、追加のエネルギーを与えるセクタが他に存在する場合、このことは、伝送がより信頼でき、及び／又はＨ−ＡＲＱをサポートすることを意味する。このことは、パケットが複数のＨ−ＡＲＱ伝送を存続させ、帯域幅のサービスを早期に終了することができることを意味する。
【００６８】
逆方向リンクでは、端末４０４は送信し、双方のセクタは伝送を傾聴しようとする。良い方の伝送を有するセクタは常に端末４０４にサービス提供する。幾つかの側面によれば、セクタは信号を組合せることができる。従って、逆方向リンクでは、同一信号が２つのセクタに転送されるので、追加のリソースが用いられない。しかし、順方向リンクでは、双方のセクタがリソースを保有しているので、使用されるリソースが余分にある。
【００６９】
システム４００は、端末４０４に動作可能に結合されたメモリ４１０を含むことができる。メモリ４１０は、ハンドオフグループ索引に関する情報を格納することができる。プロセッサ４１２は端末４０４（及び／又はメモリ４１０）に動作可能に接続されることができ、より有益であって、端末４０４にサービス提供するのに用いられるべきセクタを決定する命令、及び、順方向リンク・ハンドオフ要求中に、ソフタ・ハンドオフ・グループ索引を指示する特定のセクタを要求する命令などを実行することができる。
【００７０】
プロセッサは、ソフタ・ハンドオフ・グループに加わっている少なくとも２つのセクタから情報を受信する命令と、少なくとも２つのセクタからマスタ・セクタを決定する命令と、マスタ・セクタに関するＣＱＩ報告を生成する命令と、ソフタ・ハンドオフ・グループと関連する索引を用いてＣＱＩ報告にスクランブルをかける命令と、スクランブルがかけられたＣＱＩ報告及び索引をＣＱＩチャネルで送信する命令とを更に実行することができる。幾つかの側面によれば、プロセッサは、少なくとも２つのセクタの各々から各パイロットが送信された少なくとも２つのパイロットを受信する命令と、受信されたパイロットに基づいて各セクタに対するチャネルを推定する命令と、チャネル推定値を組合せる命令と、組合されたチャネル推定値を用いてデータを復調する命令とを更に実行する。プロセッサは、少なくとも２つのセクタの各々により送信されたパイロットを受信する命令と、受信されたパイロットに基づいて各セクタの強度を決定する命令とを更に実行することができる。
【００７１】
それに加えて、又はその代わりに、プロセッサ４１２は、マスタ・セクタと通信する命令を実行することができ、通信は、マスタ・セクタ又は、ソフタ・ハンドオフ・グループ内の異なるセクタにより受信される。他の命令は、マスタ・セクタから情報を受信することを含むことができ、情報は、マスタ・セクタからのもの、又は、ソフタ・ハンドオフ・グループに加わっている異なるセクタからのものである。ソフタ・ハンドオフ・グループに加わっている異なるセクタからの情報は、マスタ・セクタにより送信された情報であるかのようにして現れる情報であることができる。
【００７２】
プロセッサ４１２は、端末４０４により受信された情報を分析及び／又は生成することを専用とするプロセッサ、システム４００の１つ以上のコンポーネントを制御するプロセッサ、及び／又は、端末により受信された情報を分析しかつ生成し、システム４００の１つ以上のコンポーネントを制御するプロセッサであることができる。
【００７３】
メモリ４１０は、確認応答を生成すること、スケジューリング情報を受信すること、端末４０４とセクタ４０２との間の通信を制御するための処置を取ることなどに関連するプロトコルを格納することができ、これにより、システム４００は、格納されたプロトコル及び／又はアルゴリズムを用いて、本明細書で説明されるように、無線ネットワークにおけるグループリソース管理を達成することができる。
【００７４】
図５は、部分的周波数繰り返しの例示的な表現５００を示している。この例示的な表現５００は、良好なＣ／Ｉ及び帯域幅トレードオフが与えられた潜在的な容量利得を示している。部分的周波数繰り返し（ＦＦＲ：Fractional Frequency Reuse）は全周波数又は部分周波数繰り返しであることができる。全帯域幅は、インターレースと称されるスロットと、サブバンドと称される帯域幅スロットとに分割されることができ、サブバンド内にはホッピングが存在する。第１のセクタ内のサブバンドは第２のセクタ内の同じサブバンドのみと衝突する。バンド全体にわたるホッピングは存在しない。
【００７５】
４つの異なる繰り返しパターン（又はカラー（color））５０２が図示されている。例えば、第１繰り返しパターン５０４は１／１の繰り返し率を有することができ、第２繰り返しパターン５０６は２／３の繰り返し率を有することができ、第３繰り返しパターン５０８は２／３の繰り返し率を有することができ、第４繰り返しパターンは２／３の繰り返し率を有することができる。ＵＭＢでは、異なる繰り返しパターンは各インターレース上のサブバンドごとに選択されることができる。
【００７６】
５１０で示されたセクタ「１」の場合、第２繰り返しパターン５０６は低電力を有するか、又は用いられない。セクタ「２」５１４の場合、第３繰り返しパターン５０８は低電力を有するか、又は用いられない。セクタ「３」５１６の場合、第４繰り返しパターンは低電力を有するか、又は用いられない。部分的周波数繰り返しを用いる様々なセクタ内の装置のグラフィック表現は５１８で示されている。
【００７７】
図示され前述された例示的なシステムを考慮して、開示された内容に従って実施されることができる方法は、図６及び図７の流れ図を参照して、より一層理解されるであろう。説明を簡潔にするため、方法は一連のブロックとして示され説明されているが、当然のことながら、幾つかのブロックは異なる順序で生じることができ、及び／又は他のブロックと同時に生じることができるので、請求の範囲に記載されている内容はブロックの数又は順序により限定されないことは、本明細書で図示され説明されたものから明らかである。更に、図示されたブロックのすべてが、以下で説明される方法を実施するのに必要とされるとは限らないことがある。ブロックと関連する機能はソフトウェア、ハードウェア、その組合せ、又は、何らかの他の適切な手段（例えば、デバイス、システム、処理、コンポーネント）により実施されることができることは明らかである。これに加えて、以下で本明細書を通じて開示される方法は、このような方法を様々な装置に移送及び転送し易くするために製品に格納されることもできることは更に明らかである。当然のことながら、当業者は、状態図のような相互に関連のある一連の状態又はイベントとしても方法が表現されることができることは明らかである。
【００７８】
図６を参照すると、ソフタ・ハンドオフ・グループを有効にする方法６００が示されている。６０２では、ソフタ・ハンドオフ・グループと関連する部分的周波数繰り返しセットが提供される。ソフタ・ハンドオフ・グループに関する情報は、２つ以上のセクタによりサービスを受けたい１つ以上の端末に通知されることができる。端末は、特定のセクタがサービング・セクタであることを要求することができる（例えば、端末には、サービング・セクタを選択する機能が設けられている）。この決定は、セクタのチャネル品質に基づいて、又は、特定のセクタが端末に対し、より有用であることを指示する他の情報に基づいて行われることができる。
【００７９】
６０４では、部分的周波数繰り返しセットは、マスタ・セクタにより管理される。マスタ・セクタは、ソフタ・ハンドオフ・グループの一部（例えば、グループ内のセクタの１つ）であることができる。グループ内の他のセクタは、マスタ・セクタにより端末に送信されるパケット又は通信を模倣し（又は、マスタ・セクタにより端末に送信されるのと同じ又はほぼ類似のパケット又は通信を送信し）、コピー又は模倣された信号を端末に送信することができる。幾つかの側面によれば、マスタ・セクタの信号は、（マスタ・セクタ信号のコピーである）第２のセクタの信号と同様に送信されることができ、双方の信号は端末に送信される。従って、マスタ・セクタ及びなりすましセクタは類似のスクランブルパターン、類似のホッピングパターン及び類似のパイロットスクランブルパターンなどを用いることができる。その結果、第１のセクタが選択された場合、第２のセクタは、選択されたセクタのふりをすることができ、第２のセクタは追加のエネルギーを、選択されたセクタのホッピングパターンで送信して、より多くのエネルギーを端末に供給することができる。しかし、端末は、パケットが２つのセクタから、及び／又は、マスタ・セクタではなく第２のセクタから届くことに気付かないことがある。従って、パケットを送信する実際のセクタは端末に対してトランスペアレントである。
【００８０】
幾つかの側面によれば、もはやグループによるサービスを端末に提供し続けないと決定されることができる。このような決定は、パイロットを再検討すること、チャネル品質インジケータ報告を再検討すること、グループサイズが１に減少される時に自動的に再検討すること、又は、その組合せのような様々な要因に基づいて行われることができる。もはや端末にはグループによりサービス提供されないと決定された場合、この決定がグループにより複数の端末にサービス提供し続けないことであれば、グループサイズを１に減少させるアクティブセットアップデートが送信されることができる。
【００８１】
図７は、ソフタ・ハンドオフ・グループを選択する方法７００を示している。方法７００は、少なくとも２つのアクセスポイントがほぼ同時にアクセス端末にサービス提供し易くすることができる。部分的周波数繰り返しセットは、単一周波数ネットワーク（ＳＦＮ）を提供するのに用いられることができる。
【００８２】
方法７００が開始すると、７０２では、ソフタ・ハンドオフ・グループに加わっているセクタから端末が情報を受信し、端末にサービス提供するのに最適となる基地局を決定する。各セクタは、端末にサービス提供するのにセクタが利用可能である（かつ、その用意がある）かを通知することができる。例えば、セクタは、端末が利用できるグループが４つ存在することを端末に通知することができ、端末はこれら４つのグループから選択することができる。端末はパイロットを各セクタから受信することができ、パイロットを用いて、各セクタの強度、従って各グループの強度を決定することができる。この情報に部分的に基づいて、端末は、どのグループが、端末にサービス提供するのに良好なグループであるかを決定する。ハンドオフ・グループ索引は、順方向リンク・ハンドオフ要求中に所望されたグループ索引を指示するためにポピュレートされることができる。グループ索引は、ソフタ・ハンドオフ・グループに加わっているセクタでポピュレートされることができる。
【００８３】
７０４では、端末は、マスタ・セクタのみのＣＱＩに対応することができるＣＱＩ報告を生成する。従って、生成されたＣＱＩ報告は、端末にサービス提供することができる他のセクタに関する情報を含まない。ＣＱＩ報告は、マスタ・セクタにおいて訂正のために基地局により用いられるＣＱＩ帰還情報として送信されることができる。
【００８４】
ハンドオフ要求中に端末により所望されたソフタ・ハンドオフ・グループを指示するため、７０６では、端末は、所望のソフタ・ハンドオフ・グループと関連する索引（ＳＨＯＧＩＤ）を用いてＣＱＩにスクランブルをかける。スクランブルは、７０８において、所望のグループを基地局に指示するためにＣＱＩチャネルに用いられることができる。指示は、ハンドオフ要求中に基地局に送信されることができる。端末が、アクティブセットに追加されたグループを有すると、端末はグループメンバーにハンドオフすることができる。アクティブセットは、端末が迅速に切り替わることができるセクタを指示することができる。従って、端末には、ソフタ・ハンドオフ・グループを選択する機会が提供される。
【００８５】
グループを選択した後、端末は、選択されたセクタとだけ端末が通信するように動作する。端末はマスタ・セクタから、又は、マスタ・セクタにより送信された情報を模倣する異なるセクタから情報を受信する。従って、情報がマスタ・セクタからのものであるかのようにして現れるので、情報が異なるセクタのマスタ・セクタから実際に受信されたかは端末により分からない。例えば、ＯＦＤＭシステムでは、ホッピングパターンと、メッセージのスケジューリングと、端末のチャネライゼーション及び通信の受信を用いる他のイベントとが存在する。これらの目的のすべてに対して、端末はサービング・セクタに伝達する。従って、端末はセクタのグループを１つのセクタとして処理し、端末が通常通りに実行する動作を実行する。しかし、２つ以上のセクタが含まれるので、端末はより多くのエネルギーを受信する。
【００８６】
更に、逆方向リンクでは、端末は送信し、双方のセクタは伝送を傾聴しようとする。良い方の伝送を有するセクタは端末にサービス提供し、現在、端末にサービス提供しているセクタは端末に対してトランスペアレントである。
【００８７】
幾つかの側面によれば、すべての端末に共通であるパイロットが存在する場合、各セクタは独自のパイロットを連続して送信することができる。アクセス端末は各基地局からのチャネルを別々に推定し、２つのチャネルを組合せて結合チャネルを獲得する。データチャネルは、双方のセクタによりＳＦＮ方式に送信される（例えば、各セクタは同一の副搬送波で同一の変調シンボルを送信する）。端末は、２つのセクタからの組合されたチャネル推定値を用いてこのデータを復調することができる。
【００８８】
図８は、ＭＩＭＯシステム８００における（アクセスポイントとしても既知である）送信機システム８１０と（アクセス端末としても既知である）受信機システム８５０との実施形態のブロック図を示している。送信機システム８１０では、多くのデータストリームのトラヒックデータはデータ送信装置８１２から送信（ＴＸ）データプロセッサ８１４に供給される。
【００８９】
幾つかの側面によれば、各データストリームはそれぞれの送信アンテナを介して送信される。ＴＸデータプロセッサ８１４は、このデータストリームに対して選択された特定のコード化方式に基づいて各データストリームに対するトラヒックデータをフォーマットしコード化しインタリーブしてコード化データを生成する。
【００９０】
各データストリームに対するコード化データは、ＯＦＤＭ技法を用いてパイロットデータで多重化されることができる。パイロットデータは、一般的に、既知の方法で処理される既知のデータパターンであり、チャネル応答を推定するために受信機システムで用いられることができる。各データストリームに対する多重化パイロット及びコード化データは、次に、このデータストリームに対して選択された特定の変調方式（例えば、ＢＰＳＫ、ＱＳＰＫ、Ｍ−ＰＳＫ又はＭ−ＱＡＭ）に基づいて変調されて変調シンボルを生成する。各データストリームに対するデータレート、コード化及び変調は、プロセッサ８３０により実行される命令により決定されることができる。
【００９１】
次に、全データストリームに対する変調シンボルはＴＸ  ＭＩＭＯプロセッサ８２０に供給され、ＴＸ  ＭＩＭＯプロセッサ８２０は、（例えば、ＯＦＤＭの場合、）変調シンボルを更に処理することができる。次に、ＴＸ  ＭＩＭＯプロセッサ８２０は、ＮＴ個の変調シンボルストリームをＮＴ個の送信機（ＴＭＴＲ）８２２ａ〜８２２ｔに供給する。幾つかの実施形態では、ＴＸ  ＭＩＭＯプロセッサ８２０は、ビームフォーミング重みをデータストリームのシンボルと、シンボルが送信されるアンテナとに適用する。
【００９２】
各送信機８２２は、それぞれのシンボルストリームを受信及び処理して、１つ以上のアナログ信号を生成し、更に、アナログ信号を調整（例えば、増幅、フィルタリング及びアップコンバート）して、ＭＩＭＯチャネルを介する伝送に適する変調信号を生成する。その後、送信機８２２ａ〜８２２ｔからのＮＴ個の変調信号はＮＴ個のアンテナ８２４ａ〜８２４ｔからそれぞれ送信される。
【００９３】
受信機システム８５０では、送信された変調信号はＮＲ個のアンテナ８５２ａ〜８５２ｒにより受信され、各アンテナ８５２から受信された信号はそれぞれの受信機（ＲＣＶＲ）８５４ａ〜８５４ｒに供給される。各受信機８５４は、それぞれの受信された信号を調整（例えば、フィルタリング、増幅及びダウンコンバート）して、調整された信号をディジタル化してサンプルを生成し、更にサンプルを処理して、対応の「受信された」シンボルストリームを供給する。
【００９４】
その後、ＲＸデータプロセッサ８６０は、ＮＲ個の受信機８５４からのＮＲ個の受信されたシンボルストリームを受信し、特定の受信機処理技法に基づいて処理して、ＮＴ個の「検出された」シンボルストリームを生成する。その後、ＲＸデータプロセッサ８６０は、検出されたシンボルストリームの各々を復調しディインタリーブし復号化してデータストリームのトラヒックデータを回復する。ＲＸデータプロセッサ８６０による処理は、送信機システム８１０のＴＸ  ＭＩＭＯプロセッサ８２０及びＴＸデータプロセッサ８１４により実行された処理と相補的である。
【００９５】
プロセッサ８７０は、（以下に説明される）使用するプリコード化行列を周期的に決定する。プロセッサ８７０は、行列索引部分及びランク値部分を備える逆方向リンクメッセージを構成する。
【００９６】
逆方向リンクメッセージは、通信リンク及び／又は受信されたデータストリームに関する様々なタイプの情報を備えることができる。その後、逆方向リンクメッセージは、データ送信装置８３６から送信された多くのデータストリームのトラヒックデータも受信するＴＸデータプロセッサ８３８により処理され、変調器８８０により変調され、送信機８５４ａ〜８５４ｒにより調整され、送信機システム８１０に返信される。
【００９７】
送信機システム８１０では、受信機システム８５０からの変調された信号はアンテナ８２４により受信され、受信機８２２により調整され、復調器８４０により復調され、ＲＸデータプロセッサ８４２により処理されて、受信機システム８５０により送信された逆方向リンクメッセージを抽出する。その後、プロセッサ８３０は、ビームフォーミング重みを決定するのに用いられるプリコード化行列を決定し、その後、抽出されたメッセージを処理する。
【００９８】
図９を参照すると、ソフタ・ハンドオフ・グループを提供する例示的なシステム９００が示されている。例えば、システム９００は基地局内に少なくとも部分的に存在しうる。プロセッサ、ソフトウェア又はその組合せ（例えばファームウェア）により実施される機能を表す機能ブロックであることができる機能ブロックを含むものとしてシステム９００が表されていることは明らかである。
【００９９】
システム９００は、独立して、又は組合せて機能することができる電気コンポーネントの論理グループ９０２を含む。例えば、論理グループ９０２は、ソフタ・ハンドオフ・グループと関連する部分的周波数繰り返しセットを提供する電気コンポーネント９０４を含むことができる。更に、論理グループ９０２は、ソフタ・ハンドオフ・グループの一部であるマスタ・セクタにより部分的周波数繰り返しセットを管理する電気コンポーネント９０６を備えることができる。
【０１００】
幾つかの側面によれば、論理グループ９０２は、第２のセクタの信号でマスタ・セクタの信号をコピーする電気コンポーネント（図示せず）と、コピーされた信号を、マスタ・セクタによりサービス提供されるアクセス端末に送信する電気コンポーネント（図示せず）とを含むことができる。それに加えて、又はその代わりに、論理グループ９０２は、グループにより複数の端末にサービス提供し続けるかを決定する電気コンポーネントと、決定が、グループにより複数の端末にサービス提供し続けることでない場合、グループサイズを１に減少させるアクティブセットアップデートを送信する論理コンポーネント（図示せず）とを含むことができる。
【０１０１】
幾つかの側面によれば、論理グループ９０２は、パイロット及びチャネル品質インジケータ報告を再検討する電気コンポーネントと、グループサイズが１に減少されているかを検出する電気コンポーネントとを含むことができる。ソフタ・ハンドオフ・グループ内で端末にサービス提供する必要のあるセクタを端末に決定させる電気コンポーネントも含まれることができる。
【０１０２】
更に、システム９００は、電気コンポーネント９０４，９０６又は他のコンポーネントと関連する機能を実行する命令を保持するメモリ９０８を含むことができる。電気コンポーネント９０４，９０６がメモリ９０８の外部にあるように示されているが、当然のことながら、電気コンポーネント９０４，９０６の１つ以上がメモリ９０８内に存在しうる。
【０１０３】
図１０は、ソフタ・ハンドオフ・グループを選択する例示的なシステム１０００を示している。例えば、システム１０００は、アクセス端末内に少なくとも部分的に存在しうる。プロセッサ、ソフトウェア又はその組合せ（例えばファームウェア）により実施される機能を表す機能ブロックであることができる機能ブロックを含むものとしてシステム１０００が表されていることは明らかである。
【０１０４】
システム１０００は、独立して、又は組合せて機能することができる電気コンポーネントの論理グループ１００２を含む。論理グループ１００２は、マスタ・セクタをサービング・セクタとして同定する電気コンポーネント１００４を含むことができる。マスタ・セクタにより提供されたソフタ・ハンドオフ・グループを選択する電気コンポーネント１００４も含まれることができる。マスタ・セクタは、各グループの強度を含む様々な基準に基づいて選択されることができる１つ以上のソフタ・ハンドオフ・グループを提供することができる。論理グループ１００２は、選択されたソフタ・ハンドオフ・グループをマスタ・セクタに通知する電気コンポーネント１００８をも含むことができる。
【０１０５】
幾つかの側面によれば、論理グループ１００２は、ソフタ・ハンドオフ・グループに加わっている少なくとも２つのセクタから情報を受信する電気コンポーネントを含むことができる。例えば、情報は、ソフタ・ハンドオフ・グループに加わることができる（また、進んで加わろうとしている）セクタを含むことができる。少なくとも２つのセクタからマスタ・セクタを決定する電気コンポーネントも含まれることができる。マスタ・セクタは、ソフタ・ハンドオフ・グループに加わることができ、基地局から選択されたセクタであることができる。少なくとも２つのセクタからマスタ・セクタを選択する手段は、少なくとも２つの各セクタにより送信されたパイロットを受信し、受信されたパイロットに基づいて各セクタの強度を確認することができる。
【０１０６】
論理グループには、マスタ・セクタに関するＣＱＩ報告を生成する電気コンポーネントも含まれることができる。ＣＱＩ報告は、グループ内の他のセクタに関する情報を無視して生成される。更に、論理グループは、ソフタ・ハンドオフ・グループと関連する索引を用いてＣＱＩ報告にスクランブルをかける電気コンポーネントと、スクランブルがかけられたＣＱＩ報告及び索引をＣＱＩチャネルで送信する電気コンポーネントとを含むこともできる。
【０１０７】
幾つかの側面によれば、論理グループ１００２は、受信されたパイロットに基づいて、各セクタに対するチャネルを推定する電気コンポーネントと、チャネル推定値を組合せる電気コンポーネントと、組合されたチャネル推定値を用いてデータを復調する電気コンポーネントとを含むことができる。それに加えて、又はその代わりに、論理グループ１００２は、マスタ・セクタと通信する電気コンポーネントを含むことができ、通信は、マスタ・セクタ又は、ソフタ・ハンドオフ・グループ内の異なるセクタにより受信される。幾つかの側面によれば、論理グループ１００２は、マスタ・セクタから情報を受信する電気コンポーネントを含むことができる。情報は、マスタ・セクタ又は、ソフタ・ハンドオフ・グループに加わっている異なるセクタからのものであることができる。ソフタ・ハンドオフ・グループに加わっている異なるセクタからの情報は、マスタ・セクタにより送信された情報であるかのようにして現れる情報である。
【０１０８】
更に、システム１０００は、電気コンポーネント１００４，１００６，１００８又は他のコンポーネントと関連する機能を実行する命令を保持するメモリ１０１０を含むことができる。電気コンポーネント１００４，１００６，１００８がメモリ１０１０の外部にあるように示されているが、当然のことながら、電気コンポーネント１００４，１００６，１００８の１つ以上がメモリ１０１０内に存在しうる。
【０１０９】
当然のことながら、開示された処理における特定の順序又は階層の工程は例示的なアプローチの一例である。当然のことながら、処理における特定の順序又は階層の工程は、本開示の範囲内にある限り、設計の設定に基づいて再構成されることができる。添付の方法請求項は、一例としての順序で様々な工程の要素を示し、示された特定の順序又は階層に限定されるものではない。
【０１１０】
当業者は、様々な異なる技術及び技法のいずれかを用いて情報及び信号が表されることができることを理解するであろう。例えば、前述の説明を通じて参照されることができるデータ、命令、コマンド、情報、信号、ビット、シンボル及びチップは、電圧、電流、電磁波、磁界又は磁気粒子、光学場又は粒子、又は、それらの任意の組合せにより表されることができる。
【０１１１】
当業者は、本明細書で開示された実施形態に関連して説明された様々な例示的な論理ブロック、モジュール、回路及びアルゴリズム工程は、電子ハードウェア、コンピュータソフトウェア又は双方の組合せとして実施されることができることを更に理解するであろう。ハードウェア及びソフトウェアのこの互換性を明確に示すため、様々な例示的なコンポーネント、ブロック、モジュール、回路及び工程は機能の観点から上記に一般的に説明されている。このような機能がハードウェアとして実施されるかソフトウェアとして実施されるかは、システム全体に課せられる特定の用途及び設計の制約による。当業者は、特定の用途ごとに様々な方法で、説明された機能を実施することができるが、このような実施の決定は、本開示の範囲から逸脱させるものと解釈されるべきではない。
【０１１２】
本明細書で開示された実施形態に関連して説明された様々な例示的な論理ブロック、モジュール及び回路は、本明細書で説明された機能を実行するように設計された汎用プロセッサ、ディジタル信号プロセッサ（ＤＳＰ：digital signal processor）、特定用途向け集積回路（ＡＳＩＣ：application specific integrated circuit）、フィールドプログラマブルゲートアレイ（ＦＰＧＡ：field programmable gate array）又は他のプログラム可能な論理装置、分散ゲート又はトランジスタロジック、分散ハードウェアコンポーネント、又は、その任意の組合せを用いて実施又は実行されることができる。汎用プロセッサはマイクロプロセッサであることができるが、その代わりとして、プロセッサは、従来のプロセッサ、コントローラ、マイクロコントローラ又は状態マシンのいずれかであることができる。プロセッサは、コンピューティング装置の組合せとしても、例えば、ＤＳＰ及びマイクロプロセッサの組合せ、複数のマイクロプロセッサ、ＤＳＰコアと連動する１つ以上のマイクロプロセッサ、又は、他の何らかのこのような構成としても実施されることができる。
【０１１３】
本明細書に開示された実施形態に関連して説明された方法又はアルゴリズムの工程は、ハードウェア、プロセッサにより実行されるソフトウェアモジュール、又は、その組合せに直接に具現されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は、当該技術分野において既知である他の何らかの形態の記憶媒体に存在しうる。プロセッサが記憶媒体から情報を読み取り、記憶媒体に情報を書き込むことができるように、例示的な記憶媒体はプロセッサに結合されている。或いはまた、記憶媒体は、プロセッサと一体であることができる。プロセッサ及び記憶媒体はＡＳＩＣに存在しうる。ＡＳＩＣはユーザ端末に存在しうる。或いはまた、プロセッサ及び記憶媒体はユーザ端末に分散コンポーネントとして存在しうる。
【０１１４】
開示された実施形態についての先の説明は、いかなる当業者にも本開示を製造又は使用させることができるように行われている。これら実施形態への様々な変更は当業者にとって容易に明らかであり、本明細書に定義された一般的原理は、本開示の意図又は範囲から逸脱することなしに他の実施形態に適用されることができる。従って、本開示は、本明細書に示された実施形態に限定されるためのものではなく、本明細書に開示された原理及び新規な特徴と一致する最も広い範囲が許容されるように意図されている。
【０１１５】
ソフトウェア実施形態の場合、本明細書に説明された技法は、本明細書に説明された機能を実行するモジュール（例えば、手順、機能など）を用いて実施されることができる。ソフトウェアコードはメモリ装置に格納され、プロセッサにより実行されることができる。メモリ装置は、プロセッサ内で、又はプロセッサの外部で実施されることができ、プロセッサの外部で実施される場合には、当該技術分野で既知である様々な手段を介してメモリ装置がプロセッサに通信結合されることができる。
【０１１６】
更に、本明細書に説明された様々な側面又は特徴は、標準のプログラミング及び／又はエンジニアリング技法を用いて方法、装置又は製品として実施されることができる。本明細書に用いられている用語「製品」は、コンピュータ可読装置、担持体又は媒体のいずれかからアクセスできるコンピュータプログラムを含むように意図されている。例えば、コンピュータ可読媒体は、限定されるものではないが、磁気記憶装置（例えば、ハードディスク、フロッピー（登録商標）ディスク、磁気帯など）、光ディスク（例えば、コンパクトディスク（ＣＤ：compact disk）、ディジタル多用途ディスク（ＤＶＤ：digital versatile disk）など）、スマートカード及びフラッシュメモリ装置（例えば、ＥＰＲＯＭ、カード、スティック、キードライブなど）を含むことができる。更に、本明細書に記述された様々な記憶媒体は、情報を格納する１つ以上の装置及び／又は他の機械可読媒体を示すことができる。用語「機械可読媒体」は、限定されるものではないが、（１つ以上の）命令及び／又はデータを格納し、含み、及び／又は運ぶことができる無線チャネル及び様々な他の媒体を含むことができる。
【０１１７】
上記に記述されたことは、１つ以上の実施形態の一例を含む。前述された実施形態を説明するため、コンポーネント又は方法の考えられるあらゆる組合せを記述することは可能でないことはもちろんである。しかし、当業者は、様々な実施形態の更なる多くの組合せ及び置換が可能であると認識することができる。従って、説明された実施形態は、添付の特許請求の範囲内に入るこのような代替例、変更例及び変形例のすべてを含むように意図されている。特許請求の範囲において用語「備える」が移行語として用いられている場合に解釈されるように、用語「含む」が詳細な説明又は特許請求の範囲のどちらかに用いられている限り、このような用語は、用語「備える」と同じように包含的であるように意図されている。更に、特許請求の範囲の詳細な説明のどちらかに用いられている用語「又は」は「非排他的論理和」であるように意図されている。
【図１】
2010503361.tif 000003
【図２】
2010503361.tif 000004
【図３】
2010503361.tif 000005
【図４】
2010503361.tif 000006
【図５】
2010503361.tif 000007
【図６】
2010503361.tif 000008
【図７】
2010503361.tif 000009
【図８】
2010503361.tif 000010
【図９】
2010503361.tif 000011
【図１０】
2010503361.tif 000012
【国際調査報告】
2010503361.tif 000013
2010503361.tif 000014
2010503361.tif 000015
2010503361.tif 000016
2010503361.tif 000017